(57)【要約】要約書なし。【特許請求の範囲】
【請求項１】
双方向広告コンテンツを提供するシステムであって、
消費者との相互作用を促し、消費者から消費者情報の提出を促し、広告に応答するように消費者に報酬を提供する広告を含む消費者報酬型の広告伝達手段没頭広告バンドルを伝達する第１の手段と、
消費者から前記広告伝達手段没頭広告バンドルに関連する消費者情報を収集する第２の手段
とを含むシステム。
【請求項２】
消費者情報を収集する第２の手段は、
消費者が、前記広告伝達手段没頭広告バンドルに応答する機会を得るように登録を行うために使用し、前記広告伝達手段没頭広告バンドルに応答する応答デバイスと、
応答デバイスから消費者情報を収集する情報収集システム
とを含む請求項１に記載のシステム。
【請求項３】
前記広告伝達手段没頭広告バンドルは、
広告情報に注意を払うように消費者に警告する注意報告と、
広告に対する消費者による応答の助けとなるように、消費者に広告情報の少なくとも一部分を収集させるようにするコンテンツ
とを含む請求項１に記載のシステム。
【請求項４】
前記広告伝達手段没頭広告バンドルは、マスメディア広告を含む請求項１に記載のシステム。
【請求項５】
前記広告伝達手段没頭広告バンドルは、消費者が要求しなくても、消費者に伝達される請求項１に記載のシステム。
【請求項６】
報酬は、時間的に遅れた実質的な報酬である請求項１に記載のシステム。
【請求項７】
第１の手段は、視覚的及び／又は音声的媒体を消費者に配給する通信放送システムを含む請求項１に記載のシステム。
【請求項８】
十分な処理動作を提供するように収集された消費者情報を格納するための、第２の手段に作動的に連結された第３の手段を含む請求項１に記載のシステム。
【請求項９】
第３の手段は、消費者情報を与える消費者に関連する人口統計学的情報のデータベースを含む請求項８に記載のシステム。
【請求項１０】
第３の手段は、
消費者の身元に関連する個人的な消費者情報を格納する個人データセンタと、
意見、人口統計及び消費者の他の非身元特定情報に関連する非個人消費者情報を格納するデータ編集格納センタデータベース
とを含む請求項８に記載のシステム。
【請求項１１】
第３の手段は、ＰＤＣからの個人消費者情報とＤＣＳからの非個人消費者情報を照合させるプライバシー・セキュリティ保護用のプライバシーデータベースを更に含む請求項１０に記載のシステム。
【請求項１２】
前記広告伝達手段没頭広告バンドルは、
広告を消費者に伝達するビネットと、
少なくとも１つの質問を消費者に伝達する質問とを含む請求項１に記載のシステム。
【請求項１３】
ユーザには、１以上の質問のうち少なくとも１つの質問が、シリーズで示される１以上のビネットに関係することが告げられ、消費者に、シリーズで示されるビネットのすべてに注意を払うようにさせる請求項１２に記載のシステム。
【請求項１４】
質問にある各質問は、ビネットで取り扱われた情報に触れた没頭確認質問と、ノンセクションの質問と、ポーリング質問と、人口統計学的情報の質問と、消費者情報の質問と、消費者嗜好の質問と、購買習慣の質問とから選択された１つを含む請求項１２に記載のシステム。
【請求項１５】
前記広告伝達手段没頭広告バンドルは、ビネットが消費者に引き続き配給される予定であるという事前通知を消費者に与える警告を更に含む請求項１２に記載のシステム。
【請求項１６】
前記広告伝達手段没頭広告バンドルは、消費者が質問に解答する手助けをするビネット又は他のコンテンツを消費者に伝達するスニークピークビネットを更に含み、スニークピークビネットは、警告より前に消費者に伝達される請求項１２に記載のシステム。
【請求項１７】
ユーザには、１以上の質問のうち少なくとも１つの質問が、シリーズで示される１以上のスニークピークビネットに関係することが告げられ、消費者に、シリーズで示されるスニークピークビネットのすべてに注意を払うようにさせる請求項１６に記載のシステム。
【請求項１８】
前記広告伝達手段没頭広告バンドルは、質問の少なくとも１つの質問の消費者解答に伝達する解答を更に含み、解答は、消費者が質問に応答できる長さの時間が経過した後にのみ消費者に配給される請求項１２に記載のシステム。
【請求項１９】
消費者報酬型の広告伝達手段没頭広告バンドルを伝達する方法であって、
消費者との相互作用を促し、消費者から消費者情報の提出を促し、広告に応答するように消費者に報酬を提供する広告を含む広告伝達手段没頭広告バンドルを消費者に伝達することと、
前記広告伝達手段没頭広告バンドルの伝達と関連して消費者により提出された応答に応答して、応答を分析することにより消費者情報を収集することと、
前記広告伝達手段没頭広告バンドルの伝達と関連して正しい応答の１つを提出した消費者の少なくとも一人に報酬を提供すること
とを含む方法。
【請求項２０】
応答の１つを提出する消費者の少なくとも一人に報酬を提供するステップは、
消費者に資格を与えるために消費者情報を検索することと、
データベースから勝者を無作為に選択することと、
勝者に連絡を取ることと、
関心のある実体に勝者の名前を送ることと、
勝者の名前を公表することと、
勝者に報酬を送ること
とを含む請求項１９に記載の方法。
【請求項２１】
データベースから勝者を無作為に選択するステップは、勝者と、勝者が報酬を受け取ることができない場合に使用される補欠勝者とを選択することを更に含む請求項２０に記載の方法。
【請求項２２】
勝者の消費者情報を確認するために勝者に連絡を取ることと、
勝者が勝者の消費者情報を確認できなければ、勝者の名前を削除すること
とを更に含む請求項２１に記載の方法。
【請求項２３】
消費者に前記広告伝達手段没頭広告バンドルの伝達の事前通知を提供するステップを更に含む請求項１９に記載の方法。
【請求項２４】
コンテンツ伝達中に、消費者に伝達する前記広告伝達手段没頭広告バンドルの回数と通常広告の回数を決定することと、
前記広告伝達手段没頭広告バンドルの選択された回数と通常広告の選択された回数を広告主に販売すること
とを含む前記広告伝達手段没頭広告バンドルの販売ステップを更に含む請求項１９に記載の方法。
【請求項２５】
前記広告伝達手段没頭広告バンドルの伝達の事前通知を消費者に配信するために、少なくとも１つの大量伝達媒体を選択することと、
前記広告伝達手段没頭広告バンドルの将来的な利用性を提示する事前通知を消費者に伝達するために、選択された大量伝達媒体を使用することと、
事前通知の伝達に応答して、前記広告伝達手段没頭広告バンドルに応答する機会を得るように登録する消費者からの登録情報を収集すること
とを含む消費者に前記広告伝達手段没頭広告バンドルを促すステップを更に含む請求項１９に記載の方法。
【請求項２６】
登録情報の収集ステップは、
プライバシー目的で、消費者の身元に関係する個人消費者情報と、意見、人口統計及び他の非個人特定情報に関係する非個人消費者情報とを分離することを更に含む請求項２５に記載の方法。
【請求項２７】
前記広告伝達手段没頭広告バンドルを消費者に伝達し、消費者から情報を収集するステップは、
広告を消費者に伝達するビネットを放送することと、
少なくとも１つの質問を消費者に伝達する質問を放送することと、
質問からの少なくとも１つの質問に消費者が解答できるようにすること
とを含む請求項１９に記載の方法。
【請求項２８】
質問にある各質問は、ビネットで取り扱われた情報に触れた没頭確認質問と、ノンセクションの質問と、ポーリング質問と、人口統計学的情報の質問と、消費者情報の質問と、消費者嗜好の質問と、購買習慣の質問とから選択された１つを含む請求項２７に記載の方法。
【請求項２９】
前記広告伝達手段没頭広告バンドルは、ビネットが消費者に引き続き配給される予定であるという事前通知を消費者に与える警告を放送することを更に含む請求項２７に記載の方法。
【請求項３０】
前記広告伝達手段没頭広告バンドルは、消費者が質問に解答する手助けをするビネット又は他のコンテンツを消費者に伝達するスニークピークビネットを放送することを更に含み、スニークピークビネットは、警告より前に消費者に伝達される請求項２７に記載の方法。
【請求項３１】
前記広告伝達手段没頭広告バンドルは、質問の少なくとも１つの質問の消費者解答に伝達する解答を放送することを更に含み、解答は、消費者が質問に応答できる長さの時間が経過した後にのみ消費者に配給される請求項２７に記載の方法。
【請求項３２】
質問からの少なくとも１つの質問に消費者が解答できるようにするステップは、
消費者が登録を行った後に消費者に発行される識別確認を入力するように消費者に求めることと、
消費者が正しい識別確認を入力すれば、質問の少なくとも１つの質問に消費者が解答できるようにすること
とを含む請求項２７に記載の方法。
【請求項３３】
質問からの少なくとも１つの質問に消費者が解答できるようにするステップは、
消費者が登録を行った後に消費者に発行される識別確認を入力するように消費者に求めることと、
消費者が正しい識別確認を入力しなければ、質問からの少なくとも１つの質問に消費者が解答できないようにすること
とを含む請求項３２に記載の方法。
【請求項３４】
質問からの少なくとも１つの質問に消費者が解答できるようにするステップは、
消費者が登録を行った後に消費者に発行される識別確認を入力するように消費者に求めることと、
消費者が正しい識別確認を入力しなければ、質問からの少なくとも１つの質問に消費者が解答できるようにした後、登録を完了し、識別確認が発行されること
とを含む請求項３２に記載の方法。
【発明の詳細な説明】
【０００１】
【発明の属する技術分野】
（関連出願）
本願は、３５  Ｕ．Ｓ．Ｃ．１１９に基づいて、「コンテンツのマスマーケットアピールを高めるためにリンクされたスポンサーシップを使用するシステム及び方法（システム・アンド・メソッド・フォー・ユージング・リンクド・スポンサーシップ・トゥ・インクリース・マス−マーケット・アピアル・オブ・コンテント）」という発明の名称の２０００年１０月１２日に出願された米国仮特許出願第６０／２３９，６３１号の優先権を主張し、その内容全体は、参照により本願明細書に援用されたものとする。
【０００２】
（技術分野）
本発明は、コンテンツを伝達する技術に関し、更に詳しく言えば、広告の普及及び伝達を含む広告コンテンツ及び娯楽コンテンツの伝達技術及び消費者情報の収集技術に関する。
【０００３】
【従来技術】
従来の広告モデルでは、媒体（すなわち、ＴＶネットワーク、ラジオ局、新聞、雑誌）が、消費者が関心を抱く娯楽コンテンツ（例えば、ＴＶ番組）を制作してきた。消費者とは、広告主の商品やサービスを使用し、娯楽コンテンツとともに広告コンテンツ（「広告」）を見たり、聞いたり、読んだり、取り入れたりするであろう人である。広告主とは、消費者に何らかの購入、使用又は行動を促すための広告を配信する実体である。媒体は、（すなわち、放送、ケーブル伝送、印刷媒体の大量配布により）娯楽コンテンツ及び広告を消費者に配給する。媒体は、消費者に娯楽コンテンツの配給料金を課す場合もあるが、典型的に、媒体は、娯楽コンテンツとともに広告を配給する代わりに、ほとんどの歳入を広告主から受けている。
【０００４】
プロモータが、多くの消費者を惹き付ける広告コンテンツ、言い換えれば、広告主を惹き付けるコンテンツの提案、展開、作成及び／又は配信を行う。広告主は、娯楽コンテンツとともに広告を配給するためにプロモータにお金を支払って娯楽コンテンツのスポンサーになる。広告費は、一般的に、広告を取り入れる消費者の数が多いほど高くなる。プロモータは、広告費を使って広告コンテンツを製作及び配信するプロモータのコストを相殺して、利益を上げる。消費者は、一般的に、娯楽コンテンツを見たり、聞いたり、取り入れたりするための料金は支払わない。また、消費者は、広告を見たり、聞いたり、取り入れたりするための料金も受け取らない。消費者の従来の報酬は、広告を我慢する代わりに、ほとんどお金がかからず、又は無料で娯楽コンテンツを見たり、聞いたり、取り入れたり、更には楽しむことができるということである。
【０００５】
最近の技術的進歩（すなわち、インターネット）により、配信口となり得る数が増大した。この増大に伴い、消費者は、多数の娯楽形態に惑わされている。その結果、広告主は、多数の消費者を獲得することが更に難しくなっている。更に、プロモータは、多数の消費者が娯楽コンテンツ及び広告を見たり、聞いたり、取り入れたりするであろうことを保証することが更に難しくなっている。この現象により、広告費が下がるため、プロモータの利益が下がる。
【０００６】
広告主の目標は、広告主の商品又はサービスに関する情報を含み、消費者が後で思い出すような広告を消費者に提供することである。しかしながら、典型的に、消費者は広告を無視し回避する。消費者は、多くの場合、広告が現れると、「消したり」、チャンネルを変えたり、立ち去ったりする。更に、消費者は、広告依存性の低い娯楽形態（すなわち、プレミアムチャンネル）や、広告をスキップする技術（すなわち、ビデオレコーダ、個人向け記録デバイス）の使用への関心を益々高めている。
【０００７】
広告は、マスメディア広告とターゲット広告の２種類に分類される。マスメディア広告（すなわち、放送ＴＶ、ラジオ、雑誌）は、幅広い消費者層に向けて広範囲に基づいた広告メッセージを配信する。ターゲット広告は、広告主により特定された人口統計学的プロファイルに合う消費者に向けた特定の個人向け広告に焦点を合わせたものである。マスメディア広告は、一般的に、ターゲット広告よりインプレッション当たりのコストが安い。しかしながら、ターゲット広告は一般的に、より効果的であり、技術の進化とともに、インプレッション当たりのコストも安くなっている。その結果、マスメディア広告の効果が疑問視されてきた。
【０００８】
【発明が解決しようとする課題】
以上のことを鑑みて、コスト効率が良く、娯楽性があり、利益を生じ、効果のあるマスメディア広告の方法が必要とされる。更に、広告主に有益な情報を収集するコスト効率の良い方法が必要とされる。
【０００９】
【課題を解決するための手段】
（発明の要約）
本発明は、娯楽コンテンツ及び広告を多くの視聴者に提供するためのコスト効率が良く、娯楽性があり、利益を生じ、効果のある方法を提供することにより、上記問題を解決する。例えば、本発明は、消費者が回避するものから消費者を惹き付ける呼び物へと広告の形を変える。消費者には、広告を思い出し、高価な賞品を得る機会が与えられてよい。これは、視聴率、消費者の娯楽性及び広告の没頭度を高めることになり得る。
【００１０】
本発明は、消費者報酬型の広告伝達手段没頭広告バンドル（コンシューマ・リワーデッド・アドバタイジング・ビークル・イマーシブ・アド・バンドル：以下、「ＣＲＡＶ  Ａｄ」と記載）を伝達してよい。ＣＲＡＶ  Ａｄは、広告ビネット（「ビネット」）及び確認用の質問（「質問」）を含む広告であってよい。また、好適な実施形態において、オプションの没頭警告（「警告」）が付加されてよい。更に、好適な実施形態において、オプションの正しい解答（「解答」）が付加されてよい。ＣＲＡＶ  Ａｄの持続時間は、任意のものであってよい。ＣＲＡＶ  Ａｄは、視覚的及び／又は聴覚的なものであってよい。ＣＲＡＶ  Ａｄは、任意の可能な手段又は可能な手段の任意の組み合わせにより、話され、印刷され、表示され、聞かれ、伝達されるものであってよい。また、ＣＲＡＶ  Ａｄ又は連続したＣＲＡＶ  Ａｄは、特に、ゲーム番組のジャンルの番組全体をベースにしたものであってよい。
【００１１】
ＣＲＡＶ  Ａｄを普及させるために、「スニークピーク」ビネットと呼ばれる別のオプションが使用されてよい。スニークピークビネットは、ＣＲＡＶ  Ａｄビネットと同一のものであってよい。スニークピークは、消費者が質問に解答する手助けをする他の情報も含んでよい。
【００１２】
本発明は、放送ネットワーク、その消費者、応答デバイス、情報収集システム及びデータ格納センタを含み得る。消費者、広告主、プロモータ又は他の実体が、本発明を使用できる。消費者とは、広告主の商品やサービスを使用し、娯楽コンテンツ及び広告を見たり、聞いたり、読んだり、取り入れたりする人である。広告主とは、消費者に何らかの購入、使用又は行動を促すための広告を配信する実体である。プロモータは、多くの消費者を惹き付ける広告コンテンツを提案、展開、作成及び／又は配信することで、広告主を惹き付けることになる。消費者、プロモータ及び広告主の点で本発明を記載してきたが、当業者は、他の実体が使用可能であることを認識するであろう。
【００１３】
放送ネットワークは、消費者と娯楽コンテンツ及び広告とをつなぐ手段であり得る。デバイスは、消費者情報を情報収集システムに伝達する手段であり得る。情報収集システムは、情報をデータ格納センタに送る手段であり得る。データ格納手段は、消費者情報を格納及び使用する手段であり得る。消費者情報は、登録及び応答情報を含み得る。登録情報は、氏名、住所、電話番号などの個人情報を含み得る。応答情報は、質問に対する解答を含み得る。
【００１４】
プロモータは、ＣＲＡＶ  Ａｄを広告主に販売できる。プロモータ又は広告主は、将来的なＣＲＡＶ  Ａｄを普及させるために放送ネットワークを使用できる。プロモータは、ＣＲＡＶ  Ａｄを消費者に伝達し、消費者の相互作用するために、放送ネットワーク、デバイス、情報収集システム、データ格納センタを使用できる。プロモータ又は広告主は、ＣＲＡＶ  Ａｄへの消費者の応答を収集するために、デバイス、情報収集システム、データ格納センタを使用できる。プロモータ、又は広告主は関心を持つ他の第三者に登録及び応答情報を編集及び／配信できる。プロモータは、勝者を選択し賞品を配送できる。
【００１５】
ＣＲＡＶ  Ａｄに応答し、登録中に個人の秘密データを提供した消費者のプライバシー保護をかけるために、プライバシーオプションが含まれてよい。このオプションは、セキュリティ、データ保護及び隔離レベルの確保に役立つ。
【００１６】
【発明の実施の形態】
本発明は、広告を視聴者に提供するためのコスト効率が良く、娯楽性があり、利益を生じ、効果のある方法を提供することにより、上記問題を解決する。例えば、本発明は、消費者が回避するものから消費者を惹き付ける呼び物へと広告の形を変える。消費者には、広告を思い出し、高価な賞品を得る機会が与えられる。これは、視聴率、消費者の娯楽性及び広告の没頭度を高める。
【００１７】
本発明は、広告主の商品及びサービスの販売促進及び保有を実質的にコスト効率良く高めながら、広告のアピール度を高めるために、プロモータにより使用されてよい。従来のマスメディア広告と比較した場合、例示的な実施形態は、消費者を広告に完全に没頭させる広告を配給する。例示的な実施形態は、印刷物、ラジオ、テレビ、ゲーム番組又は消費者に通じる任意の他の方法により広告を配給できる。
【００１８】
没頭とは、消費者に広告を思い出させる注目度が高いレベルのことである。没頭は、最高の、最も効果的な価値のある注目レベルである。没頭は、広告主が商品に対する消費者の最大限の関心を得るのに役立つ。商品は、競合する商品より容易かつ即座に思い出される。
【００１９】
没頭は、いくつかの方法により高められる。まず、没頭は、注意又は警告信号など、脳内の直接感情応答を広告が引き起こすときに高められる。この信号により、消費者は広告へ更に多くの注意を払い、消費者が広告を思い出す可能性が高められる。受動的に広告を見たり聞いたりするのと違い、消費者が広告と相互作用すると、消費者は、広告を思い出す傾向がより強くなる。また、広告を思い出す消費者の能力をテストすることにより、記憶要求が没頭を高める。更に、より長い効果的な広告の長さにより得られる延長された露出により、没頭の可能性が高められる。効果的な長さの始まりは、人が広告される商品を認識する最初の瞬間である。没頭を高める別の広告技術は、広告を配信する別の複数媒体伝達手段を使用することである（すなわち、ＴＶ広告と同時又はそれに続いて、印刷又はインターネットベースの広告を使用する）。また、報酬は、消費者が挑戦及び報酬を好むため、没頭を作り出すのに役立ち、好感の持てる広告が即座に容易に想起される。
【００２０】
（ＣＲＡＶ  Ａｄの説明）
消費者報酬型の広告伝達手段没頭広告バンドル（「ＣＲＡＶ  Ａｄ」）により、プロモータが視聴率及び没頭を高めるプロセスが得られる。本願明細書において、図１８を参照しながら、ＣＲＡＶ  Ａｄの例について記載する。しかしながら、ＣＲＡＶ  Ａｄを規定するために、この時点で図１８を参照することが有益である。
【００２１】
以下、図１８を参照すると、例示的なＣＲＡＶ  Ａｄが表示されている。ＣＲＡＶ  Ａｄは、少なくとも１つの広告ビネット（「ビネット」）１８１０と、確認用の質問（「質問」）１８２０とを含む広告である。また、没頭警告（「警告」）１８０５が含まれてもよい。更に、オプションの正しい解答（「解答」）１８３０が含まれてよい。これらの部分は、任意の持続時間のものであってよいＣＲＡＶ  Ａｄを作る。ＣＲＡＶ  Ａｄは、視覚的及び／又は聴覚的なものであってよい。ＡＲＡＶ  Ａｄは、任意の可能な手段又は可能な手段の任意の組み合わせに、話され、印刷され、表示され、聞かれ、又は伝達されてよい。また、ＣＲＡＶ  Ａｄ又は連続したＣＲＡＶ  Ａｄは、番組全体のベースとなるものであってもよい。
【００２２】
質問１８２０のコンポーネントの一部又はすべては、ビネット１８１０から「切り離され」てよい（すなわち、ビネット１８１０は、印刷物であってよく、質問１８２０は、オンライン又は電話によりポストされてよい）。更に、質問１８２０の応答時間は、質問１８２０をしたとき、消費者がビネット１８１０を記憶して（記憶から）すぐに想起するように制限されてよい。同様に、警告１８０５及び／又は解答１８３０は、ビネット１８１０及び／又は質問１８２０から切り離されてよい。
【００２３】
オプションである警告１８０５（点線で示す）は、この後のビネット１８１０を記憶すれば、消費者は報酬を得る資格をもてるかもしれないという消費者に対する注意である。警告１８０５は、没頭すれば報酬が得られると消費者に信じさせる何らかの合図又は操作上の手順であってよい。警告１８０５は、ロゴ（例えば、ＣＲＡＶロゴなど）、音又は何らかの他の別個の通知のような単純なものであってよい。また、警告１８０５は、より大量のデータを含んでよい。警告１８０５は、製品のブランド名及び獲得できる報酬が何であるかに関する情報を含んでよい。警告１８０５中に記憶に焼き付けることにより、広告主は、ＣＲＡＶ  Ａｄの露出時間を効果的に開始する。警告１８０５は、緊急信号及び記憶要求である。これらの広告技術により、消費者が広告を思い出す可能性が高くなる。警告１８０５は、任意の持続時間であってよい。
【００２４】
警告１８０５の後、ビネット１８１０が放送される。ビネット１８１０は、消費者である視聴者に与える目的の製品やサービス又は任意の他の情報の従来のコマーシャルであってよい。これは、主要な製品又はサービスの利点、価格情報、イメージ作りの情報などを含んでよい。ビネット１８１０は、任意の持続時間であってよい。
【００２５】
ビネット１８１０の放送後、質問１８２０が放送される。質問１８２０は、１以上の質問を含む。１つの質問は、ビネット１８１０にリンクしたものであってよい。この質問は、消費者がある情報を思い出す必要があるようなものである。他の質問は、世論、ノンセクション又は他の情報を尋ねるものであってよく、これらの質問は、オンライン又はオフラインで尋ねられてよい。質問１８２０の質問は、ビネット１８１０の後に別々の画面で表示されるか、娯楽コンテンツの下のクロールラインで尋ねられるか、オフラインなどの別の方法で示されてよい。消費者は、没頭確認及び質問応答プロセス中に広告されている商品に集中し続けなければならないため、従来の広告（すなわち、映像又は音声クリップ）が従来の持続時間を延ばしたとしても、質問１８２０は、ＣＲＡＶ  Ａｄの有効長さを増大するように作用する。質問１８２０中、プロモータ又は広告主は、可能性のある多項選択式の解答を与えてよく、又は、多項選択式の解答の助けなしに解答するように消費者に要求してよい。質問１８２０は、１以上の質問を含み、報酬情報、登録又はログイン命令、多項選択式の解答、「残り時間」カウンタ及びブランド情報を含んでよい。ＣＲＡＶ  Ａｄは、質問１８２０の後に終了してよい。
【００２６】
解答１８３０は、解答１８３０に点線で示されているように、付加されてよく、オプションである。解答１８３０は、ＣＲＡＶ  Ａｄの有効長さを延ばす。解答１８３０は、適用された場合、質問１８２０の以上の質問に対する１以上の解答を含む。また、解答１８３０は、ロゴ又は他の情報を含んでもよい。解答１８３０は、ＴＶ媒体を介して放送されてよく、又は別の通信媒体（すなわち、ラジオ、印刷物、電話１４５、インターネット１３０）により配信されてよい。
【００２７】
「スニークピーク」ビネットと呼ばれる別のオプションが統合されてよい。スニークピークは、ＣＲＡＶ  Ａｄビネット１８１０と同一のものであってよい。また、スニークピークは、消費者が質問１８２０に解答する手助けとなる他の情報を含んでもよい。スニークピークは、実際のＣＲＡＶ  Ａｄ中に示されないが、ＣＲＡＶ  Ａｄの前に示される。スニークピークは、ＣＲＡＶ  Ａｄ前の数分、数時間、数日、数週間など、特徴付けられてよい。スニークピークビネットは、ロゴ、音又は別の方法により示されてよい。この代わりとして、消費者には、特定の番組中のある時点でスニークピークが流れることだけが知らされてよい。消費者には、１以上の広告がＣＲＡＶ  Ａｄのスニークピークビネットであることが告げられる。そうすることで、消費者は、ＣＲＡＶ  Ａｄ質問１８２０の解答に役立つ追加情報が得られるかもしれない特定のコマーシャル又はすべての可能性のあるコマーシャルに、より多大に注意を払うようになる。例えば、スニークピークの一例を挙げると、「次の６つの広告のうち１つが来週の日曜日のＣＲＡＶ  Ａｄで特徴付けられます。どの広告がＣＲＡＶ  Ａｄであるかをこの時点で告げませんので、それらすべてに注意を払ってください。」この同じプロセスは、スニークピークに加え、ビネットに適用されてよい。したがって、例えば、多数の広告の伝達中、ロゴの形をした警告が、ビネットの形をした広告の隅に現れてよい。ビネットを伝達した後、１以上のビネットに対して没頭確認質問を有する１以上の質問が示される（すなわち、娯楽コンテンツが流れている間、画面の下側の位置で）。ユーザが呼びかけると、ユーザは、１以上の示された没頭確認質問に解答するように要求される。
【００２８】
（ＣＲＡＶ  ＡＤシステム）
図１は、本発明の例示的な実施形態の主要なコンポーネントを示すブロック図である。図１を参照すると、ＣＲＡＶ  Ａｄシステム１００は、放送ネットワーク１０５と、消費者１１０と、解答デバイス（「デバイス」）１１１と、情報収集システム１１２と、データ格納センタ１９５とを含む。消費者１１０、広告主、プロモータ又は他の実体が本発明を使用する。消費者１１０とは、広告主の商品やサービスを使用し、娯楽コンテンツ及び広告を見たり、聞いたり、読んだり、取り入れたりするであろう人である。広告主とは、消費者に何らかの購入、使用又は行動を促すための広告を配信する実体である。プロモータは、多くの消費者を惹き付ける広告コンテンツ、言い換えれば、広告主を惹き付けるコンテンツの提案、展開、作成及び／又は配信を行う。消費者、広告主及びプロモータの点で本発明について記載するが、当業者であれば、他の実体が使用可能であることを認識するであろう。
【００２９】
放送ネットワーク１０５は、消費者１１０と娯楽コンテンツ及び広告とをつなぐ手段である。デバイス１１１は、登録及び応答情報を情報収集システム１１２に伝達する手段である。デバイス１１１は、没頭確認質問及び他の情報を放送した後、関連する登録及び応答情報を情報収集システム１１２に送ることにより、消費者１１０と伝達する手段であってもよい。情報収集システム１１２は、登録及び応答情報をデータ格納センタ１９５に送る手段である。データ格納手段１９５は、登録及び応答情報を格納する手段である。
【００３０】
放送ネットワーク１０５は、放送ＴＶネットワーク１２０、プライベートネットワーク１２５、ケーブルネットワーク１３５、インターネットネットワーク１３０、衛星ネットワーク１４０又は任意の他のネットワーク１４１（すなわち、新聞）を含んでよい。当業者であれば、多数の通信ネットワーク及びシステム（現在利用可能なシステム及び将来的なシステムを含む）が、放送ネットワーク１０５と置換又は交換されてよいことを認識するであろう。デバイス１１１は、電話１４５、パーソナルディジタルアシスタント（「ＰＤＡ」）１５０、双方向型ＴＶ１５５、インターネットコンピュータ１３０、ホスピタリティ産業用のプライベートネットワーク（すなわち、スポーツバー及びパブデバイス）１６５、又は任意の他のデバイス１６６を含み得る。
【００３１】
デバイス１１１は、携帯電話ネットワーク、双方向ビーパー（ベル）、及び米国中の多数のレストラン及びパブで見受けられる登録商標権を有するＮＴＮシステムなどの双方向性が含まれるネットワークデバイスを含み得る。登録又は解答を行うために、異なる指示及び方法が用いられてよい。当業者は、多数のデバイス（現在利用可能なデバイス及び将来的なデバイスを含む）が、デバイス１１１と置換又は交換されてよいことを認識するであろう。更に、当業者は、１つのデバイスが登録用に使用され、別のデバイス１１１がＣＲＡＶ  Ａｄに応答するために使用可能であることを認識するであろう。
【００３２】
情報収集システム１１２は、電話会社ＳＰ１７０、ＰＤＡ  ＳＰ１７５、ＴＶ  ＳＰ１８０、インターネットＳＰ１８５、プライベートネットワークＳＰ１９０、及び任意の他の情報収集システム１９１を含む多数のサービスプロバイダ（「ＳＰ」）を含んでよい。当業者は、多数の配信システム（現在利用可能なシステム及び将来的なシステムを含む）が、情報収集システム１１２と置換又は交換されてよいことを認識するであろう。
【００３３】
情報収集システム１１２は、情報収集システム１１２により収集されたデータを格納するデータ格納センタ１９５とつながる。データ格納センタ１９５は、パーソナルデータセンタ（「ＰＤＣ」）データベース１９７と、データコンパイル格納（「ＤＣＳ」）センタデータベース１９６を含んでよい。データ格納センタ１９５は、登録情報及び応答情報、勝者の無作為選択、将来的なデータマイニング事業用に収集されたデータの長期的格納を含む。ＰＤＣ１９７は、氏名、住所、社会保障番号（典型的に、税金の申告用に賞品獲得者からのみ得られる）、個人ＩＤ番号、電話番号などを含むものであってよい消費者の個人情報を格納する。ＤＣＳ１９６は、登録中に収集された人口統計学的データ、ＣＲＡＶ  ＩＤ及びＣＲＡＶ  ＡＤ質問１８２０の解答を格納してよい。
【００３４】
データ格納センタ１９５は、プライバシーデータベース１９９を含んでもよい。プライバシーデータベース１９９は、登録中に個人的な秘密情報を提供し、ＣＲＡＶ  Ａｄに応答する消費者１１０に対して、プロモータがプライバシー保護を与えることを決定したときに使用される。プライバシーデータベース１９９は、ＰＤＣ１９７及びＤＣＳ１９６からの記録の照合を要求した後、消費者の身元が人口統計学的及び履歴上の記録と照合される。これにより、セキュリティ、データ保護及び隔離レベルが確保される。
【００３５】
（ＣＲＡＶ  Ａｄプロセスの概観）
図２は、例示的なＣＲＡＶ  Ａｄプロセスの概観を示す流れ図である。以下、図２を参照すると、「開始」ステップ２０１で、例示的なＣＲＡＶ  Ａｄプロセス２００が開始される。ステップ２０５においてプロモータは、ＣＲＡＶ  Ａｄを広告主に販売する。ステップ２１０において、プロモータ及び広告主は、放送ネットワーク１０５を使用して、将来的なＣＲＡＶ  Ａｄを普及させる。ステップ２１５において、プロモータは、放送ネットワーク１０５、デバイス１１１、情報収集システム１１２及びデータ格納センタ１９５を使用して、ＣＲＡＶ  Ａｄを消費者１１９に伝達し、消費者１１０と相互作用する。ステップ２２０において、プロモータは、デバイス１１１、情報収集システム１１２及びデータ格納センタ１９５を使用して、消費者の登録情報及び応答情報を収集する。ステップ２２５において、賞品を授与する以外の目的で、登録及び／又は応答情報が使用されるか否かが決定される。ステップ２２５の解答が「はい」であり、登録及び／又は応答情報が使用されれば、プロセスは、プロモータが広告主及び他の関心をもつ実体に対して登録及び応答情報を編集及び／又は配信するステップ２２６に進む。ステップ２２５の解答が「いいえ」であり、登録及び応答情報が使用されなければ、プロセスは、直接ステップ２３０に進む。ステップ２３０において、プロモータは、データ格納センタを使用して、勝者を選択し賞品を配送する。その後、プロセスは、「終了」ステップ２９９に進み、終了する。
【００３６】
（ＣＲＡＶ  Ａｄの販売）
図３は、図２のステップ２０５に示されているように、プロモータが広告主にＣＲＡＶ  Ａｄを販売する方法を表す例示的なプロセスを示した流れ図である。以下、図３を参照すると、「開始」ステップ３０１で、例示的なＣＲＡＶ  Ａｄプロセス２０５が開始される。ステップ３０５において、プロモータは、伝達するためのＣＲＡＶ  Ａｄ及び通常の広告の数と、広告ごとの請求額を決定する。ステップ３１０において、プロモータは、ＣＲＡＶ  Ａｄ及び通常の広告を販売する。次に、プロセスは、図２のステップ２１０に進む。
【００３７】
ＣＲＡＶ  Ａｄは、多数の方法で値段をつけられてよい。例えば、値段は、番組の視聴者の規模（すなわち、視聴率）に応じたものであってよく、又は、オークションや入札プロセスに基づいて値段がつけられてよく、この場合、最も高い値を付けた入札者にＣＲＡＶ  Ａｄが与えられる。値付けを確立するために、プロモータは、標準的な制作費、販売促進費及び放送費に基づいて既存の番組の収益性を分析してよい。これは、標準的な広告にかかる標準的な広告費で相殺されてよい。プロモータのＣＲＡＶ  Ａｄの値段は、より大きな視聴者規模の価値及び消費者１１０の間でのより高品質の没頭を含んでよい。これにより、１分当たりのコストがより高い広告費が正当化され、追加料金の歳入が、ＣＲＡＶ  Ａｄ報酬コスト、ＣＲＡＶ  Ａｄ使用許可及び販売促進費、及び質問１８２０応答管理プロセス費を相殺するのに役立つ。
【００３８】
ＣＲＡＶ  Ａｄの値段を決定するとき、以下のことが考慮されてよい。すなわち、販売促進費、使用される同時放送会場、没頭報酬の数及び種類、質問１８２０における質問数（すなわち、没頭確認質問、ポーリング質問、完全に正しい応答の数を減らすための多様な難問のノンセクションベースの質問）、オンエア対オフエア没頭確認応答、登録要求、質問１８２０の応答収集方法論、及び勝者の選択及び賞品授与の責任である。また、プロモータは、消費者１１０が、没頭確認プロセス中に１以上の特別な広告主立案の質問に解答するように要求されるかを決定しなければならない。この市場データは、広告主にとって非常に価値がある可能性があり、プロモータにより請求される料金を更に実質のあるものにし得る。また、プロモータは、質問１８２０に１以上の特別な世論質問を追加するように決定してもよい。このデータは、プロモータの他のプログラムに関連したものであってよく、ある一定のプログラミングタイプに対する消費者１１０の関心度を決定してよく、任意の他のマーケティング関連の問題を検討してよい。また、これらの世論質問は、世論応答の結果を与えることに対してプロモータに報酬を支払う可能性のある世論機関に対するサービスとして行われてもよい。
【００３９】
（消費者へのＣＲＡＶ  Ａｄの提供）
図４は、図２のステップ２１０に示されているように、プロモータ及び広告主が放送ネットワーク１０５を使用して、将来的なＣＲＡＶ  Ａｄを普及させる方法を表した例示的なプロセスを示す流れ図である。プログラムの視聴者規模を最大化するために、ＣＲＡＶ  Ａｄの放送について公衆に通知することが好ましい。ＣＲＡＶ  Ａｄを含む伝達の前に、プロモータは、ＣＲＡＶ  Ａｄが伝達されるプログラムを受信するであろう消費者１１０に対して事前に注意を与える。このような事前注意は、ＣＲＡＶ  Ａｄについて消費者１１０に知らせるとともに、深く没頭するほど、消費者１１０が実質的な報酬を受けられることになるであろうことを知らせる教育的かつ一般的な公開情報を含んでよい。これらの事前注意は、詳細な賞品情報を含み、その名称及び／又はロゴを明らかにし、放送前に消費者１１０による登録を促すものであってもよい。プロモータ及び広告主は、この事前通知を与えてよい。
【００４０】
以下、図４を参照すると、「開始」ステップ４０１において、例示的なＣＲＡＶ  Ａｄが開始される。ステップ４０５において、プロモータは、将来的なＣＲＡＶ  Ａｄ放送の事前通知を与えるか否かを決定する。答えが「いいえ」であれば、プロセスは、図２のステップ２１５に進む。答えが「はい」であれば、プロセスは、プロモータ及び広告主が事前通知用の放送ネットワーク１０５を選択するステップ４１０に進む。事前通知用に使用可能な放送ネットワーク１０５は、放送ＴＶネットワーク１２０、プライベートネットワーク１２５、ケーブルネットワーク１３５、インターネット１３０、衛星ネットワーク１４０又は任意の他のシステム１４１を含む。ステップ４１５において、プロモータ及び広告主は、選択した放送ネットワーク１０５を使用して消費者１１０に将来的なＣＲＡＶ  Ａｄの利用可能性を伝達する。ステップ４１６において、プロモータは、消費者１１０が予め登録することが可能か否かを決定する。答えが「いいえ」であれば、プロセスは、図２のステップ２１５に進む。答えが「はい」であれば、プロセスは、ステップ４２０に進む。
【００４１】
ステップ４２０において、消費者１１０は、デバイス１１１を使用してＣＲＡＶ  Ａｄに応答するように登録するか否かを決定する。ステップ４２０の答えが「いいえ」であれば、プロセスは、図２のステップ２１５に進む。一つの例示的な代替実施形態において、ＣＲＡＶ  Ａｄシステムは単純なものであり、登録が不要である。しかしながら、例示的な代替実施形態において、プロセス中に登録が要求される。登録が好ましい理由は、登録することで、プロモータ及び広告主が消費者１１０に関する詳細な情報を収集できることである。ステップ４２０の答えが「はい」であれば、消費者１１０は、ステップ４２５に示されているように、登録を行う。その後、プロセスは、図２のステップ２１５に進む。
【００４２】
図５は、図４のステップ４２５に示されているように、登録プロセスのプライバシーオプションを適用する方法を表した例示的なプロセスを示す流れ図である。以下、図５を参照すると、「開始」ステップ５０１において、例示的なＣＲＡＶ  Ａｄプロセス４２５が開始される。ステップ５０５において、プロモータは、プライバシーオプションを与えるか否かを決定する。プライバシーオプションは、秘密の個人データを人口統計学的データから隔離する。プライバシーオプションが使用されれば、データ格納センタ１９５は、ステップ５１０に示されているように、プライバシーデータベース１９９を含む。その後、プロセスは、ステップ５１５に進む。プライバシーオプションが与えられなければ、プロセスは、ステップ５０５からステップ５１５へと直接進む。ステップ５１５において、消費者１１０は、デバイス１１１を使用して登録を行い、プロセスは、図２のステップ２１５に進む。
【００４３】
プライバシーオプションが重要な理由は、プライバシーオプションにより、消費者１１０が、自分の個人登録情報が外部の関係者により人口統計学的情報及び応答情報と照合されるという心配が少なくなることである。
【００４４】
（登録）
質問１８２０の持続時間が短いため、消費者１１０は、割り当てられたＣＲＡＶ  Ａｄ時間内にすべて登録を行い、ＣＲＡＶ  Ａｄに応答することができない場合がある。したがって、消費者１１０は、通常、ＣＲＡＶ  Ａｄが放送される前に登録することを望む。いくつかの登録オプションが利用可能である。
【００４５】
登録情報は、さまざまなデータを含んでよい。一つの例示的な実施形態において、プロモータは、人口統計学的情報の使用を望まず、単純に、追跡及び賞品授与の目的で消費者１１０の特定を求める。したがって、消費者１１０は、勝者として選択されれば、連絡が取れる場所や身元に関する簡単な情報を提供するように求められる。この情報は、電話番号、社会保障番号（又はその一部）、生年月日、氏名及び住所を含んでよい。登録情報を提供した後、消費者１１０には、固有の「ＣＲＡＶ  ＩＤ」が与えられる。この番号は、無作為に発生させた固有の番号、又は簡単に思い出せる番号や一連の番号（生年月日や電話番号の組み合わせなど）であってよく、番号の中にＩＤ情報を与えてもよい。
【００４６】
登録に関する別の例示的な実施形態において、プロモータは、ＩＤ情報、製品に関する情報又は世論に関する情報の獲得を望むことがある。各消費者１１０の人口統計学的プロファイルは、年齢、性別、人種、体重、身長、郵便番号、自宅の住所又は電子メールアドレス、仕事、個人の年収、学歴、政治的所属、宗教、家族構成、ＴＶとコンピュータの数、広告主関連又は世論の調査質問及び過去のＣＲＡＶ  Ａｄの解答（応答の履歴情報）を含んでよい。詳細な登録は、ＣＲＡＶ  Ａｄごとに要求されてよい。しかしながら、ＣＲＡＶ  Ａｄごとにこの情報を収集すると、登録の処理時間及びコストがかかり、冗長的になり、消費者１１０が応答の提出を思いとどまることもある。したがって、１回限りの登録プロセスが利用可能であってもよい。このモードにおいて、オリジナルの登録を行った後に、ＣＲＡＶ  Ａｄの応答ごとに、変更／更新された人口統計学的情報又はＩＤ情報（配偶者の有無や電話番号の変更など）のみが追加される。このシナリオでは、ＰＤＣ１９７にオリジナルの登録情報が格納される。データ格納センタ１９５に新しい応答又は更新情報が伝送されると、データ格納センタ１９５は更新される。
【００４７】
登録に関する別の代替実施形態において、１回限りの登録が使用される場合（上述したように）、広告主は、報酬を貰う資格が得られるように、すでにＣＲＡＶ  ＩＤをもつ消費者１１０に追加の人口統計学的情報を入力してもらってよい。この場合、オリジナルの登録を行った後、追加のＣＲＡＶ  Ａｄ応答ごとに、新しい「応答」情報が追加される。このシナリオでは、ＤＣＳ１９６にオリジナルの登録情報が格納され、データ格納センタ１９５に新しい応答が伝送されると、データ格納センタ１９５は、登録情報への追加を行う。ＣＲＡＶ  ＩＤは、ＣＲＡＶ  Ａｄの記録への追加を許可する前に要求される。
【００４８】
（放送ＣＲＡＶ  Ａｄ及び消費者との相互作用）
図６は、図２のステップ２１５に示されているように、プロモータが放送ネットワーク１０５、デバイス１１１、情報収集システム１１２及びデータ格納センタ１９５を使用して、ＣＲＡＶ  Ａｄを消費者１１０に伝達し、消費者１１０と相互作用する方法を表した例示的プロセスを示す流れ図である。以下、図６を参照すると、「開始」ステップ６０１において、例示的ＣＲＡＶ  Ａｄプロセス２１５が開始される。ステップ６０５において、プロモータは、放送ネットワーク１０５を使用して、警告１８０５、ビネット１８１０及び質問１８２０を伝達する。傾向１８０５とは、消費者が報酬を勝ち取る権利者になるには、次にくるビネット１８１０を記憶することが望ましいということを消費者に喚起する注意である。ビネット１８１０は、消費者である視聴者へのプレゼンテーション用の製品又はサービス又は任意の他の情報の従来のコマーシャルであってよい。質問１８２０は、１以上の質問を含む。ステップ６１０において、消費者１１０は、質問１８２０に解答する。ステップ６１５において、解答１８３０を伝達するためのオプションは、プロモータがこのオプションの使用を望むか否かに応じて与えられる。解答１８３０は、質問１８２０の１以上の質問の少なくとも１つに対する解答を含む。ステップ６１５の答えが「いいえ」であり、解答１８３０が伝達されなければ、プロセスは、図２のステップ２２０に進む。ステップ６１５の答えが「はい」であれば、ステップ６２０に示されているように、プロモータは、放送ネットワーク１０５を使用してカウンタ時間が終了した後、解答１８３０を伝達する。その後、プロセスは、図２のステップ２２０に進む。
【００４９】
図７は、図６のステップ６０５に示されているように、プロモータが、放送ネットワーク１０５を使用して、警告１８０５、ビネット１８１０及び質問１８２０を伝達する方法を表した例示的なプロセスを示す流れ図である。以下、図７を参照すると、「開始」ステップ７０１において、例示的なＣＲＡＶ  Ａｄプロセス６０５が開始される。ステップ７０５において、プロモータは、放送ネットワーク１０５を使用して警告１８０５を伝達する。警告１８０５は、賞品の詳細及び広告主及び／又はプロモータのロゴを含んでよい。また、警告１８０５は、プロモータ又は他の実体が表示を望む任意の他の情報を含んでもよい。ステップ７１０において、プロモータは、放送ネットワーク１０５を使用してビネット１８１０を伝達する。ビネット１８１０は、広告及び広告主及び／又はプロモータのロゴを含んでよい。また、ビネット１８１０は、プロモータ又は他の実体が表示を望む任意の他の情報を含んでもよい。ステップ７１５において、プロモータは、放送ネットワーク１０５を使用して質問１８２０を伝達する。質問１８２０は、質問、可能性のある解答、ログイン応答情報、残り時間カウンタ及び広告主及び／又はプロモータのロゴを含んでよい。また、ＣＲＡＶ  Ａｄ質問１８２０は、プロモータが含ませたい任意の他の情報を含んでもよい。その後、プロセスは、図６のステップ６１０に進む。
【００５０】
（ＣＲＡＶ  Ａｄの解答）
図８は、図６のステップ６１０に示されているように、消費者１１０がＣＲＡＶ  Ａｄに解答する方法を表した例示的なプロセスを示す流れ図である。以下、図８を参照すると、「開始」ステップ８０１において、例示的なＣＲＡＶ  Ａｄプロセス６１０が開始される。ステップ８０２において、デバイス１１１は、消費者１１０にＣＲＡＶ  ＩＤを入力するように促す。ステップ８０５において、消費者１１０がＣＲＡＶ  ＩＤを入力したか否かが決定される。ステップ８０５の答えが「いいえ」であり、消費者１１０がＣＲＡＶ  ＩＤを入力しなければ、ステップ８１１に示されているように、登録が許可されない。登録が許可されれば、プロセスは、ステップ８１５に進む。登録が許可されなければ、ステップ８１６に示されているように、消費者１１０に対して、ＣＲＡＶ  Ａｄへの応答を提出する前に登録を行わなければならないことが知らされる。その後、プロセスは、図６のステップ６１５に進む。
【００５１】
ステップ８０５の答えが「はい」であり、消費者１１０がデバイス１１１を使用してＣＲＡＶ  ＩＤを入力すれば、ステップ８１０に示されているように、デバイス１１１は、ＣＲＡＶ  ＩＤを受け取る。ＣＲＡＶ  ＩＤは、プロモータ又は広告主により割り当てられた番号であってよい。それは、手動入力の必要性をなくすために、メモリに格納されてよい。ＣＲＡＶ  ＩＤをメモリに格納する方法の例は、インターネット上でクッキーを使用すること、又は格納された番号を電話（短縮ダイヤルメモリ機能）に入力することを含む。ステップ８１５において、放送ネットワーク１０５又はデバイス１１１は、ＣＲＡＶ  Ａｄ質問１８２０の第１の質問及び解答の選択肢を伝達する。質問は、没頭確認質問、ポーリング質問、ノンセクション質問、又は任意の他のタイプの質問であり得る。解答の選択肢は、所定の応答オプションａ、ｂ、ｃ、ｄなどのセットであってよく、又は、消費者１１０は、解答をそのまま入力するように要求されてよい。解答のオプションは、放送局間で異なるものであってよい固有の番号又は文字の放送を含んでよく、これにより、ＣＲＡＶ  Ａｄを見るために消費者１１０により使用される放送媒体又は場所を決定するために、データ格納センタ１９５により、引き続き復号が行われる。ステップ８２０において、消費者１１０は、自分の解答をデバイス１１１に入力する。ステップ８２５において、プロモータは、放送ネットワーク１０５又はデバイス１１１を使用して、同じ質問１８２０の一部として別の質問を伝達してよい。この質問は、別の没頭確認質問、又は消費者１１０に関する情報を得るために使用される質問であってよい。この情報は、人口統計学的情報又は他の情報を含んでよい。プロモータが、決定ステップ８２５に対して「はい」を選択すれば、プロセスは、ステップ８３０に進み、デバイス１１１は、新しい質問を伝達する。ステップ８３５において、消費者は、デバイス１１１に解答を入力する。その後、プロセスは、ステップ８２５へと戻り、繰り返される。ステップ８２５の答えが「いいえ」であり、他の質問が尋ねられなければ、プロセスは、ステップ８２６に進む。ステップ８２６において、ステップ８０５において消費者１１０がＣＲＡＶ  ＩＤを入力したか否かが決定される。ステップ８２６の答えが「はい」であれば、プロセスは、図６のステップ６１５に進む。ステップ８２６の答えが「いいえ」であれば、プロセスは、消費者１１９が登録を行うためのオプションを有するステップ８２７に進む。ステップ８２７の答えが「はい」であり、消費者１１０が登録を行えば、プロセスは、図６のステップ６１５に進む。答えが「いいえ」であり、消費者１１０が登録を行わないか、登録が完了していなければ、プロセスは、ステップ８２８に進み、応答は破棄される。その後、プロセスは、図６のステップ６１５に進む。
【００５２】
（ＣＲＡＶ  ＡＤの解答の収集）
図９を構成する図９Ａ及び図９Ｂは、図２のステップ２２０に示されているように、登録及び応答情報を収集するための例示的な全国規模ネットワークを示す描写図である。質問１８２０を収集するネットワークは、任意のデータ収集活動において２つの変数に対応するようにデザインされる。第１に、予想されるトラフィック及び地理的／時間帯の要求が満たされなければならない。第２に、登録及び応答の情報が、データ格納センタ１９５に送信されなければならない。図９Ａは、米国の地図を示し、従来の電話機１４５が、登録及び応答情報を電話会社ＳＰ１７０に送信する方法を示す。図９Ｂは、米国の地図を示し、インターネットコンピュータ１３０が登録及び応答情報をインターネットＳＰ１８５に送信する方法を示す。両方の図は米国を示しているが、当業者であれば、収集システムは、任意の国又は複数の国に与えられてよいことを認識するであろう。
【００５３】
以下、図９Ａを参照すると、消費者の応答が電話機１４５により電話会社ＳＰ１７０に送信される方法を示すネットワークが示されている、当業者は、予測されるトラフィック及び地理的／時間帯の要求を満たすための複数の方法を認識するであろう。トラフィックという用語と同様に、トラベリング情報は「トラフィック」と呼ばれ、２点間の長さは「距離」と呼ばれ、遅延トラフィックは「コンジェッション」と呼ばれる。例示的な実施形態において、質問１８２０の応答を扱うためには、１つのウェブサイト及び１つの電話番号で十分である。しかしながら、ほとんどの場合、多数の応答トラフィックを扱うには、複数回線が必要である。
【００５４】
遠隔通信回線の場合、デザイン要素が、距離の短縮及びコンジェッションの解消に役立つ可能性がある。例えば、複数の電話番号（１つ又は複数の情報収集システム１１２に接続されている）が、地理的に中心となる場所に配置されてよい。更に、到来呼を１つ又は複数の情報収集システム１１２に向けるスイッチを組み込んだ１つの公開された電話番号が、到来呼の起点に基づいて方向付けされて、地理的に中心となる場所に配置されてよい。図９Ａは、登録及び応答情報を電話会社ＳＰ１７０に送信する電話機１４５のオプションを示す。
【００５５】
インターネットネットワーク１３０などのネットワーク上に与えられる応答に関して、以下のデザイン要素は、距離の短縮及びコンジェッションの回避に役立つ可能性がある。すなわち、地理的に中心となる場所に配置された固有ウェブサイトアドレスをもつミラーウェブサイト（それぞれが情報収集システム１１２として作用）と、ユーザのＳＰ１１２付近に地理的に中心となる場所に理想的に配置された１以上のミラーウェブサイトに再方向付けされた１つの公開されたウェブサイトアドレスと、個々のインターネットＳＰ１８５又は認可された情報収集システム１１２がホストする固有ウェブサイトである。図９Ｂは、登録及び応答情報をインターネットＳＰ１８５に送信するインターネットコンピュータ１６０のオプションを示す。
【００５６】
図１０は、情報収集システム１１２が、登録及び応答情報をデータ格納センタ１９５に送信する方法を示す。登録及び応答情報は、ＳＰネットワークによりホストされてよい情報収集システム１１２に送信される。また、ＣＲＡＶウェブサイトが、情報収集システム１１２になるようにセットアップされてもよい。このＣＲＡＶウェブサイトは、データ格納センタ１９５と同じ場所に収容されてよい。ＣＲＡＶ  Ａｄが終了すると、情報収集システム１１２は、登録及び応答情報をデータ格納センタ１９にタイムスケジュール通りに同期させて送信する。消費者１１０のデータがデータ格納センタ１９５により受信され確認されると、応答情報は、情報収集システム１１２により自動消去するようにプログラムされてよい。図１０は、登録及び応答情報を送信するための３つの情報収集システム、すなわち、インターネットＳＰ１８５、電話会社ＳＰ１７０及びプライベートネットワークＳＰ１９０を示す。
【００５７】
（ＣＲＡＶ  Ａｄの勝者の選択及び賞品の配送）
図１１は、図２のステップ２３０に示されているように、プロモータが勝者を選択し賞品を配送する方法を表した例示的なプロセスを示す流れ図である。以下、図１１を参照すると、「開始」ステップ１１０１において、例示的なＣＲＡＶ  Ａｄプロセス２３０が開始される。ステップ１１０５において、データ格納センタ１９５は、ＰＤＣ１９７に登録情報を、ＤＣＳ１９６に応答情報を格納する。ステップ１１１０において、プロモータ又は第三者のサービスプロバイダは、ＤＣＳ１９６のデータベースから勝者及び補欠勝者を無作為に選択する。ＤＣＳ１９６のデータベースは、すべての要求された質問に正確に解答した消費者１１０のリストを含む。また、プロモータ、広告主又は第三者のサービスプロバイダは、可能性がある勝者に連絡を取る。（この第三者のサービスプロバイダは、消費者の解答に関する情報やクーポンを含む処理サービスを提供してもよい。）プロモータ又は広告主により選択されるプロセスに基づいて、可能性がある勝者の身元及び可能性がある勝者の登録及び応答情報の真実性が確認されてよい。このオプションが使用されれば、プロモータは、消費者の登録及び応答情報が真正のものであることを証明することにより身元を確認する。プロモータは、賞品を授与する前に、人口統計学的データ又は秘密データを確認するように可能性がある勝者に要求してよい。プロモータは、質問１８２０において、１以上の質問を繰り返してよい。プロモータは、質問１８２０の応答に一致する応答を与えることができない可能性がある勝者の失格を決定してよい。
【００５８】
ステップ１１２０において、勝者に賞品獲得の資格があるかが決定される。ステップ１１２０の答えが「いいえ」であれば、プロセスは、ステップ１１２５に進み、補欠勝者のリストから、次の補欠勝者が選択される。ステップ１１３１において、補欠勝者に資格があるかが決定される。ステップ１１３１の答えが「いいえ」であれば、プロセスは、ステップ１１２５に戻り、繰り返される。ステップ１１３１の答えが「はい」であれば、プロセスは、ステップ１１３２に進む。
【００５９】
ステップ１１２０の答えが「はい」であれば、プロセスは、ステップ１１３２に進み、確認された勝者は、勝者のリストに追加され、勝者総数が増える。ステップ１１３５において、すべての勝者に資格があるかが決定される。ステップ１１３５の答えが「いいえ」であれば、プロセスは、ステップ１１１０に進み、繰り返される。ステップ１１３５の答えが「はい」であれば、プロセスは、ステップ１１４０に進む。ステップ１１４０において、勝者情報及び他の選択された情報（すなわち、人口統計学上関係のあるデータ及び質問１８２０の応答の結果）は、特に、消費者１１０が前記情報の送信を認めたら、広告主及び／又は他の関心のある実体に送信されてよい。また、プロモータ、広告主又は第三者のサービスプロバイダは、勝者を公表する。ステップ１１４５において、プロモータ、広告主又は第三者のサービスプロバイダは、賞品を勝者に配送する。その後、プロセスは、ステップ１１９９で終了する。
【００６０】
（ＣＲＡＶ  Ａｄの他の応用）
上記記載は、理想的に、ＴＶやインターネット１３０などの視覚的なマスメディア技術に適しているが、ラジオなどの音声のみの技術や、雑誌や新聞広告などの資格のみの放送媒体を用いた別のマスメディアチャンネルで利用されてもよい。ＣＲＡＶ  Ａｄは、複雑で高度に開発されたコンピュータデバイス１１１を用いて、又は単に電話１４５を使用することにより解答されてよい。当業者は、上記の発明に任意の方法媒体及び応答媒体が与えられてよいことを認識するであろう。更に、本発明は、娯楽コンテンツ内への広告の提供に限定されるものではなく、他のタイプの情報の提供に及ぶものであってよい。最後に、消費者１１０、プロモータ及び広告主に対して本発明を記載してきたが、当業者は、他の実体が使用可能であることを認識するであろう。例えば、第三者のサービスプロバイダが担う役割は、登録及び応答情報の収集、登録及び応答情報の真実性を証明するためにその情報の選別、関連データを抽出するための登録及び応答情報の引き出し、勝者及び補欠勝者の無作為選択、及び賞品処理及び配送確認サービスの提供である。
【００６１】
（例）
ＣＲＡＶ  Ａｄプロセスを良好に説明するために、代表的な例が与えられる。プロモータは、ＡＢＳ放送会社（「ＡＢＳ」）であり、広告主は、ＡＣＭＥモータース（「ＡＣＭＥ」）である。消費者１１０は、フロリダ州ラルゴの４人家族である。デーリー氏は６０歳であり、デーリー夫人は５８歳である。２人の息子の居所は自宅である。マイクは２５歳であり、マークは２３歳である。
【００６２】
図１２は、ＣＲＡＶ  Ａｄの例を示す流れ図である。ステップ１２０１において、例示的なプロセスが開始される。ステップ１２０５において、ＡＢＳは、２つの２分間のＣＲＡＶ  ＡｄスロットをＡＣＭＥモータース（「ＡＣＭＥ」）に販売する。ステップ１２１０において、ＡＢＳ及びＡＣＭＥは、ＣＲＡＶ  Ａｄの将来的な放送を広告し、その結果、デーリー家が登録を行う。ステップ１２１５において、ＣＲＡＶ  Ａｄが放送される。ステップ１２２０において、ＣＲＡＶ  Ａｄの応答が収集される。ステップ１２２５において、ＤＣＳは、賞品授与以外の目的のために収集された情報を使用するために利用される。ステップ１２２６において、ＤＣＳは、賞品の勝者に関するものではない情報の引き出し、抽出、編集及び送信を行う。ステップ１２３０において、ＤＣＳは、勝者を選択し賞品を配送するために利用される。
【００６３】
図１３は、図１２のステップ１２０５に示されているように、広告スロットの販売方法を示す流れ図である。以下、図１３を参照すると、ＡＢＳは、ステップ１３０５に示されているように、２つのＣＲＡＶ  Ａｄをそれぞれ＄１，７００，０００で販売し、２４時間の通常広告をそれぞれ＄３７５，０００で販売することを決定する。ＡＢＳは、ステップ１３１０に示されているように、２つのＣＲＡＶ  ＡｄをＡＣＭＥに、２４時間の通常広告を他の広告主に販売する。その後、プロセスは、図１２のステップ１２１０に進む。
【００６４】
広告の値段を決定するために、ＡＢＳは、図１４に示されている表に従う。ＡＢＳは、「ロイヤーズ・イン・ラブ（Ｌａｗｙｅｒｓ  ｉｎ  Ｌｏｖｅ）」という番組の平均利益を決定する。「ロイヤーズ・イン・ラブ」は、８  ＰＭ  ＥＳＴ／８  ＰＭ  ＭＳＴに放送（ディレイタイムスロットで放送）され、放送時間は６０分である。番組の平均視聴率は、７００万人の消費者１１０である。ＡＢＳは、１６の１分広告（３２３０秒スポット）を番組に割り当てた。ＡＢＳは、広告主に対して３０秒スポット当たり＄３００，０００を請求し、番組当たり９６０万ドルの歳入を獲得する。番組の費用は、＄８，０００，０００である。したがって、平均利益は、番組の歳入（９６０万ドル）−番組の支出（８００万ドル）＝純利益（１６０万ドル）である。１０００人の消費者１１０当たりの広告主にかかる平均コストは、ＣＲＡＶ  Ａｄを考慮に入れなければ、＄４２．８６である。
【００６５】
次に、ＡＢＳは、代替分析を決定する。＄１，７００，０００の値が付いた２つのＣＲＡＶ  Ａｄは、ＡＢＳが以前２４０万ドルの歳入を得ていた８つの３０秒広告スロットに取って代わる。また、ＡＢＳは、百万ドルを賞品に配分することを望み、ＣＲＡＶ  Ａｄの値段は３４０万ドルになる。ＣＲＡＶデータ収集コストは、＄５１０，０００である。ＡＢＳは、ＣＲＡＶ関連の登録及び情報収集システム１１２が装備された第三者の情報保管収集組織であるＴＰＲにこの料金を支払う。また、ＴＰＲは、勝者及び補欠を選択し、勝者の応答が真正のものであることを証明し、ＡＢＳ及びＡＣＭＥにリストを提供し、賞品の配送プロセスを取り扱う。ＡＢＳは、＄４００，０００を費やして、将来的なＣＲＡＶ  Ａｄを普及する。
【００６６】
ＡＢＳは、ＣＲＡＶ  Ａｄのコンテストが視聴者を３０％増大させると見積もる。したがって、ＡＢＳは、従来の広告の値段を２５％上げる。新しい広告の値段は、３０秒スロット当たり＄３７５，０００である。したがって、広告主は、３０秒の通常広告当たり＄３７５，０００を支払う（＄３００，０００に対して）が、その代わりに、より高い没頭レベルを潜在的に達成し、通常広告がインプレッション当たりより低いコストでより多くの視聴者に放送される。１０００人の消費者１１０当たりの新しいコストは、より低くなり、＄４２．２１となる。
【００６７】
このように、２４スロットに対して、スロット当たり＄７５，０００値上がりすると、ＡＢＳに更に１８０万ドルの歳入が追加される。これは、次にくるＣＲＡＶ  Ａｄを普及させるための追加コスト＄４００，０００と、ＣＲＡＶ情報収集、編集及び勝者選択／確認用の＄５１０，０００により相殺される。したがって、ＡＢＳは、さらなる純利益＄８９０，０００を実現する。これにより、番組の収益性が５５％を超える分だけ上がる。
【００６８】
図１５は、図１２のステップ１２１０に示されているように、ＡＢＳ及びＡＣＭＥが将来的なＣＲＡＶ  Ａｄを普及させる例示的なＣＲＡＶ  Ａｄプロセスを示す描写的な流れ図である。ステップ１５０１において、「開始」ボタン１５０１でプロセス１２１０が開始される。ステップ１５０１において、ＡＢＳ及びＡＣＭＥは、ＣＲＡＶ  Ａｄを普及させ、その事前通知を与えることを決定する。ステップ１５１０において、ＡＢＳは、ＴＶ、インターネット１３０、電子メール及びＴＶガイドでＣＲＡＶ  Ａｄを普及するように選択し、ＡＣＭＥは、インターネット１３０、電子メール及びケーブルＴＶでＣＲＡＶ  Ａｄを普及するように選択する。ステップ１５１５において示されているように、放送前の数週間、ＡＢＳは、ＡＢＳネットワークで、次にくる「ＣＲＡＶ／ＡＣＭＥ新車懸賞付きクイズ番組」のプロモーションを促進する。また、ＡＢＳは、ＴＶガイド雑誌の広告を購入し、ＡＢＳウェブサイトに情報を投稿し、電子メールリストに情報を送り出す。また、ウェブサイト上のＡＣＭＥのバーナー及び３５０万人の加入者への電子メールの通知でも、ＣＲＡＶ  Ａｄを普及させる。また、ＡＣＭＥは、ハイテクＴＶケーブルチャンネルネットワークで宣伝する。デーリー氏は、ＡＢＳで普及されたＣＲＡＶ  Ａｄを目にする。デーリー夫人は、インターネット１３０サーフィンをしながら、ＡＣＭＥのウェブサイトで普及されたＣＲＡＶ  Ａｄを目にする。マイクは、ハイテクＴＶケーブルで普及されたＣＲＡＶ  Ａｄを目にする。マークは、普及されたＣＲＡＶ  Ａｄを目にしない。ＣＲＡＶ  Ａｄのプロモーションに表示されているものは、以下のとおりである。日曜日の８：００ＥＳＴの「ロイヤーズ・イン・ラブ」を見れば、５０台の新車のＡＣＭＥコンバーチブルのうち１台があなたのものに。登録はｗｗｗ．ｃｒａｖ．ｔｖ、お電話は１−８００−ＣＲＡＶＮＯＷまで。」将来的なＡＣＭＥ  ＣＲＡＶ  Ａｄのすべての放送プロモーションは、この登録情報を含む。登録は、ＴＰＲにより行われる。
【００６９】
ステップ１５２０の後、デーリー氏とデーリー夫人が登録することを選択する。マイクは、この時点では登録することを選択しない。マークは、登録のことを知らないため、登録しない。ステップ１５２５に示されているように、デーリー氏は、電話１４５を使用して登録し、デーリー夫人は、インターネットコンピュータ１６０を使用して登録する。その後、プロセスは、ステップ１２１５に進む。
【００７０】
登録プロセスで、デーリー氏とデーリー夫人が登録情報を入力させる。図１６は、氏名、社会保障番号、電話番号、ＰＩＮ、生年月日、電子メール、住所、勝利を含むものであってよいサンプルＣＲＡＶ記録を示す。また、プロモータは、性別、郵便番号、子供の数、配偶者の有無、人種、体重、身長、仕事、年収、学歴、政治的所属及び宗教的所属を含むものであってよい人口統計学的情報の入力を消費者１１０に求めてもよい。この情報は、ＴＶ及びコンピュータの所有台数、車の所有台数、お気に入りのＴＶネットワークを含む情報が補足され更新されてよい。履歴応答情報は、過去のＣＲＡＶ  Ａｄに対して消費者１１０が与えた応答に関する情報を与える。
【００７１】
登録プロセス中に、消費者１１０が人口統計学的情報を入力する間、質問１８２０は、人口統計学的情報を収集する機会を与える。この情報は、ＣＲＡＶ人口統計学的情報に追加されてよく、又は、履歴応答データに追加されてよい。この場合、将来的に検索及び編集を容易に行うために、記録に、レベルＩＩの人口統計学的記録が組み込まれてよい。レベルＩＩの人口統計学的情報は、最初の記録ポイントの後に収集されるため、すべてではないが、一部の消費者１１０の情報を含むものであってよい。その結果、初期登録時にすべての登録者により提供される最初のレベルＩの人口統計学的情報とは対照的に、レベルＩＩの人口統計学的情報は、全調査人口を制限する可能性がある。
【００７２】
図１７は、ＡＢＳが警告１８０５と、ビネット１８１０と、質問１８２０とを放送するステップ１２１５の例示的実施形態を示す流れ図である。以下、図１７を参照すると、プロセス１２１５は、「開始」ステップ１７０１において開始される。ステップ１７０５において、ＡＣＭＥは、複数のデバイスで同時的ＡＣＭＥ  ＣＲＡＶ  Ａｄ放送を与えることにより、マルチサイマルキャスト概念の利用を決める。ＡＣＭＥは、ＡＢＳ、ＡＣＭＥのウェブサイト、ハイテクＴＶケーブル、Ｒ−ＢＡＲネットワークで、日曜日の８：３００ＰＭ  ＥＳＴに同時にＡＣＭＥのＣＲＡＶ  Ａｄを流すのを選択する。したがって、同一のＡＣＭＥのＣＲＡＶ  Ａｄが、８：３３ＰＭ  ＥＳＴでのこれらの媒体上のマルチサイマルキャストである。デーリー氏は、ＡＢＳ１２０で「ロイヤーズ・イン・ラブ」を見ている間、ＡＣＭＥのＣＲＡＶ  Ａｄを目にする。デーリー夫人は、インターネット１３０にログオンしている間、ＡＣＭＥのＣＲＡＶ  Ａｄを目にする（デーリー夫人は、ログオンしたときに、すでに自分のＣＲＡＶ  ＩＤを提供されている。）。マイクは、自室でハイテクＴＶケーブル１３５を見て、ＡＣＭＥのＣＲＡＶ  Ａｄを目にする。マークは、Ｒ−Ｂａｒネットワーク１２５を使用して、ローカルバーでＡＣＭＥのＣＲＡＶ  Ａｄを目にする。ステップ１７１０において、消費者１１０は解答する。デーリー氏は、電話１４５を使用して解答する。デーリー夫人は、インターネットコンピュータ１６０を使用して解答する。マイクは、自分のパームパイロットＰＤＡ１５０を使用して解答するが、マイクは、まだ登録を終えてない。マークは、Ｒ−Ｂａｒデバイス１６５を使用して解答する。ステップ１７１５から１７２０に示されているように、質問１８２０の解答１８３０が、ＡＢＳでのみ放映される。解答１８３０は、インターネット１３０、ハイテクＴＶケーブル１３５及びＲ−Ｂａｒネットワーク１２５上では流されない。
【００７３】
図１８は、図１７に示されているように、消費者１１０が見るＣＲＡＶ  Ａｄを示す。ステップ１８０５において、警告１８０５が映し出される。警告１８０５は、以下の通りである。「次のＡＣＭＥ自動車会社のＣＲＡＶ  Ａｄを記憶すれば、５０台の新車のＡＣＭＥコンバーチブルのうち１台があなたのものに。」この警告１８０５は、１０秒間流される。ステップ１８１０において、ビネット１８１０が放送される。ビネット１８１０は、非ＣＲＡＶ  Ａｄでの放送にも適した６０秒の娯楽情報広告である。ステップ１８２０において、質問１８２０が放送される。質問１８２０は、３つの質問を含む。すなわち、ＡＢＳ、ＡＣＭＥのウェブサイト、ハイテクＴＶ及びＲ−ＢＡＲのプライベート放送ネットワークを含む放送ネットワーク１０５で放送される没頭確認質問１８２０ａと、広告主の質問１８２０ｂと、ポーリング質問１８２０ｃであり、その両方は、電話ネットワークと、ＡＣＭＥのウェブサイトと、Ｒ−Ｂａｒプライベートネットワークと、パームパイロットＰＤＡネットワークを含むデバイス１１１を介して配信される。没頭確認質問１８２０ａでは、「サイドインパクトのエアバックを特徴とする新しいＡＣＭＥモデルは何ですか？」と尋ねる。多項選択式の応答が、以下のように表示又は音声化される。すなわち、１）ＳＤ２０２０、２）ＸＰ２０３０、３）ＸＸ２０４０、４）ＸＹＺ１２３である。第２の質問である広告主の質問１８２０ｂが伝達される。これは、さまざまなデバイス１１１を介して応答する間、消費者１１０に提示される広告主により意図された質問である。この質問では、「新車を購入する予定はいつですか？」と尋ねる。多項選択式の応答が、以下のように表示又は音声化される。すなわち、１）２年以上後、２）２年以内、３）１年以内、４）６ヶ月以内である。ステップ１８２０ｃにおいて、第３の質問であるポーリング質問１８２０ｃが表示又は音声化される。この質問は、さまざまなデバイス１１１を介して応答する間、消費者１１０に対して提示され、契約を結んだ世論調査会社用のためのものである。この質問では、「以下の選択肢から、２００８年米国大統領として誰に投票する予定ですか？」と尋ねられる。多項選択肢の応答が、以下のように表示又は音声化される。すなわち、１）ヒラリー・クリントン、２）コリン・パウエル、３）ジェブ・ブッシュ、４）フランク・マッジオである。ステップ１８３０において、質問１の正解、すなわち、ＸＰ２０３０が表示又は音声化される。
【００７４】
図１９は、図１７のステップ１７１０に示されているように、デーリー家によりＣＲＡＶ  Ａｄが解答される方法を示す流れ図である。デーリー氏に関して、プロセスは以下のとおりである。デーリー氏は、登録時に与えられた電話番号にダイヤルすることにより、電話１４５を使用して解答する。ステップ１９０２に示されているように、電話番号は、電話応答代行サービスにつながり、デーリー氏にＣＲＡＶ  ＩＤを尋ねる。デーリー氏は、すでに登録を済ませているので、自分のＣＲＡＶ  ＩＤを入力し、ステップ１９１０において承認される。ステップ１９３０において、電話１４５で、デーリー氏は解答選択肢付きの第１の質問１８２０ａに取り組む。ステップ１９３５において、指示に従って、プッシュホン式の電話１４５の１を押して、「ＳＤ２０２０」と解答する（これは、正しい応答ではない。）。別の質問が尋ねられ、プロセスは、ステップ１９４０からステップ１９４５へ進む。ステップ１９４５において、デーリー氏は、解答選択肢付きの第２の質問１８２０ｂを尋ねられる。ステップ１９５０において、デーリー氏は、電話１４５の１を押して、「２年以上後」と解答する。第３の質問１８２０ｃが尋ねられ、プロセスは、ステップ１９４０からステップ１９４５へ進む。ステップ１９４５において、デーリー氏は、第３の質問を尋ねられる。ステップ１９５０において、デーリー氏は、電話１４５の４を押して、大統領に「フランク・マッジオ」に投票すると解答する（これは、彼の政治的な読みの深さの徴候である。）。
【００７５】
デーリー夫人に関して、プロセスは、以下のとおりである。すなわち、デーリー夫人は、インターネットコンピュータ１６０を使用して解答する。デーリー夫人には、ログオン時に自動的にＣＲＡＶ  ＩＤがすでに与えられているため（ステップ１９０２から１９１０）、質問に解答すればよいだけである。ステップ１９３０において、インターネット１３０は、没頭確認質問１８２０ａを示す。ステップ１９３５において、デーリー夫人は、「ＸＰ２０３０」を選択する。ステップ１９４５において、インターネットネットワーク１３０は、解答選択肢付きの広告主の質問１８２０ｂを示す。ステップ１９５０において、デーリー夫人は、「２年以内」を選択する。別の質問があるため、プロセスは、再度、ステップ１９４０からステップ１９４５へ進む。ステップ１９４５において、解答選択肢付きのポーリング質問１８２０ｃが示される。ステップ１９５０において、デーリー夫人は、大統領の選択肢を表す「フランク・マッジオ」を選択する（デーリー家は知的な家族である。）。
【００７６】
マイクに関して、プロセスは、以下のとおりである。マイクは、ハイテクＴＶケーブル１３５に表示されたウェブサイトにアクセスするために、自分のパームパイロット１５０を使用する。マイクは登録していないが、登録が許可され、プロセスは、ステップ１９０５から、登録が許可されるステップ１９２５の後、ステップ１９３０へ進む。ステップ１９３０において、解答選択肢付きの没頭確認質問１８２０ａが表示される。ステップ１９３５において、マイクは、３（「ＸＸ２０４０」）と解答する。別の質問があるため、プロセスは、ステップ１９４０から１９４５へ進む。ステップ１９４５において、解答選択肢付きの広告主の質問１８２０ｂが表示される。ステップ１９５０において、マイクは、３（「１年以内」）と解答する。ポーリング質問１８２０ｃに対して同じプロセスが続き、マイクはそれに解答する。追加の質問がないため、プロセスは、ステップ１９４０からステップ１９２６へ進む。ステップ１９２６において、マイクは、ＣＲＡＶ  ＩＤをもっていないため、プロセスは、ステップ１９２７に進み、マイクは、登録を行い、自動的に入力されるＣＲＡＶ  ＩＤを得る。その後、プロセスは、ステップ１７２０に進む。
【００７７】
マークに関して、プロセスは、以下のとおりである。マークは、バーのプライベートネットワークを使用し、それが、ＣＲＡＶ  Ａｄを放送し、プライベートネットワークに接続され、プレーに登録したバーにいる消費者１１０に質問１８２０を提示する。マークは、ステップ１９０２において、ＣＲＡＶ  ＩＤを求められる。マークは、予め登録していないので、「ＮＯＮＥ」とタイプし、プロセスは、ステップ１９０５へ進んだ後、ステップ１９２５へ進む。ステップ１９２５において、ＣＲＡＶ  Ａｄの間に登録が許可されて、プロセスは、ステップ１９３０に進む。ステップ１９３０において、解答選択肢付きの没頭確認質問１８２０ａが表示される。ステップ１９３５において、マークは、３（「ＸＸ２０４０」）と解答する。別の質問が尋ねられるため、プロセスは、ステップ１９４０から１９４５へ進む。ステップ１９４５において、解答選択肢付きの広告主の質問１８２０ｂが表示される。ステップ１９５０において、マークは、３（「１年以内」）と解答する。別の質問が尋ねられるため、プロセスは、ステップ１９４０から１９４５へ進む。ステップ１９４５において、解答選択肢付きのポーリング質問１８２０ｃが表示される。ステップ１９５０において、マークは、１（「ヒラリー・クリントン」）と解答する。尋ねられる質問は他にないため、プロセスは、ステップ１９４０からステップ１９２６へ進む。ステップ１９２６において、デバイスは、マークがＣＲＡＶ  ＩＤをもっていないことを認識する。プロセスは、ステップ１９２７に進み、マークは、（ＣＲＡＶ  ＩＤを獲得するための）登録プロセスに進むか、質問１８２０の応答情報を失うかのどちらを希望するか尋ねられる。マークは、登録情報の完了を開始するが、気が変わってログオフする。マークは、登録が完了していないため、ＣＲＡＶ  ＩＤを割り当てられず、ステップ１９２８に示されているように、彼の登録は破棄される。
【００７８】
図１２のステップ１２２０において、ＣＲＡＶ  Ａｄの解答が収集される。これは、電話会社ＳＰ１７０、インターネットＳＰ１８５、ＰＤＡ  ＳＰ１７５、Ｒ−ＢａｒプライベートネットワークＳＰ１９０により行われて、応答及び応用可能な登録叙法をＴＰＲのＤＣＳ１９５へ送る。
【００７９】
図２０は、図１２のステップ１２２６及び１２２７に示されているように、勝者を選択して賞品を配送するために、データ格納センタ１９５を使用する。ステップ２００１において、プロセスは、「開始」ボタンで開始される。ステップ２００５において、ＴＰＲのデータ管理センタ１９５は、（ゲームプレー中に登録された人の）登録情報を格納し、ＤＣＳ１９６は、デーリー氏、デーリー夫人、マイクを含むすべての登録済みの消費者１１０の応答情報を格納する。ステップ２０１０において、可能性のある勝者及び補欠勝者が、ＤＣＳ１９６内に格納された質問１８２０ａに対するすべての正解から無作為選択及び抽出される。マイクは、５０人の勝者の一人として選択され、デーリー夫人は、５０人の補欠勝者の第一番目の人として選択される。ＴＰＲは、すべての５０人の勝者に連絡をとることにより、確認プロセスを開始する。ステップ２０２０において、各勝者の資格が認められ、各勝者が確認されると、ステップ２０３５において、確認された勝者のリストに名前が追加され、勝者カウンタが増える。最終的に、ＴＰＲは、ステップ２０１０において、マイクに連絡をとって、ステップ２０２０において、ＣＲＡＶ  ＩＤ、登録情報及び応答情報を確認する。マイクの登録情報に偽りがあったため（登録時に６０歳と答えていたが、実際は２５歳）、失格となる。これは、ＡＢＳプロモーションの規則に従った勝利条件として、偽りのない解答が要求されるためである。潜在的に間違った情報又は紛らわしい情報をなくすために、データ格納センタ１９５からマイクのデータもすべて取り除かれる。これは、データベースの完全性を維持するために行なわれる。ステップ２０２０によれば、マイクの情報が正しくないため、ステップ２０２５に示されているように、リストの一番上にいる最初の補欠勝者が選択される。デーリー夫人が最初の補欠勝者であるため、ステップ２０２５において、彼女の情報が確認される。デーリー夫人の没頭確認質問が正確であり、ステップ２０３１において、人口統計学的データが正確であることが証明され確認されたため、確認された勝者として選択され、ステップ２０３２において、リストに追加される。
【００８０】
ステップ２０３５において、５０人の勝者すべてが選択され確認されると、プロセスは、ステップ２０４０に進み、ＴＰＲは、デーリー夫人を含むすべての勝者の身元に関する情報をＡＢＳに送る。ステップ２０４０において、ＡＢＳ及びＡＣＭＥは、デーリー夫人を含むすべての勝者の名前を共同で公表する。ステップ２０４０において、ＴＰＲからＡＢＳに渡される情報には、ＡＣＭＥ及び世論調査会社用の質問に対する消費者のすべて応答に関する人口統計学的情報を含む記録が含まれ、ＡＢＳは、ＡＣＭ又は世論統計を獲得するためのＡＢＳと契約を結んだ調査組織にこれを渡すように決めてよい。この記録は、登録及び応答データから生じ、データが引き出される。この情報は、５５３万２千人の女性消費者１１０、平均年収が＄７５，０００を超える家庭の５３４，４６１人のものを示す統計を含む。また、この情報は、これらのうち、６．５％がフロリダ州に居住し、５０歳を超え、３．４４３％が６ヶ月以内に車を購入する予定があり、５．２％が大都市圏のＮＹＣエリアに住み、０．８４２９％が６ヶ月以内に新車を購入する予定があることを示す。また、この統計は、全年齢群及び全職業にわたって、フランク・マッジオが、一般投票の５９．８％のシェアで２００８年の大統領として選出されるであろうことを示している。
【００８１】
ステップ２０４５において、ＴＰＲは、デーリー夫人及び他の勝者にコンバーチブルを送る。プロセスは、ステップ２０９９において終了する。
【００８２】
（他の応用）
上記記載は、放送ＴＶ１２０、ケーブルＴＶ１３５、衛星ＴＶ１４０、プライベートネットワーク１２５、他のネットワーク１４１及びインターネット１３０などの視覚的なマスメディア放送技術に理想的に適しているが、ラジオなどの音声のみの技術、雑誌又は新聞広告などの視覚のみの放送媒体を使用して、別のマスメディアチャンネルにおいて利用されてもよい。ＣＲＡＶ  Ａｄは、複雑かつ高度の開発されたコンピュータデバイス１１１を用いるか、単純に電話１４５を使用して解答されてよい。当業者であれば、本発明は、任意の放送媒体及び応答媒体を用いて実施されてよいことを認識するであろう。更に、本発明は、娯楽コンテンツとともに広告を提供することに限定されるものではなく、他のタイプの情報を提供することまで範囲が及び得る。
【図面の簡単な説明】
【図１】
本発明の例示的な実施形態の主要構成部品を示すブロック図である。
【図２】
例示的なＣＲＡＶ  Ａｄプロセスの外観を示す流れ図である。
【図３】
プロモータがＣＲＡＶ  Ａｄを広告主に販売する方法を記述した例示的なプロセスを示す流れ図である。
【図４】
プロモータ及び広告主が将来的なＣＲＡＶ  Ａｄを普及させるために放送ネットワークを使用する方法を記述した例示的なプロセスを示す流れ図である。
【図５】
本発明にプライバシーオプションを適用する方法を記述した例示的なプロセスを示す流れ図である。
【図６】
ＣＲＡＶ  Ａｄを消費者に伝達し、消費者と相互作用するために、プロモータが放送ネットワーク、デバイス、情報収集システム、データ格納センタを使用する方法を記述した例示的なプロセスを示す流れ図である。
【図７】
プロモータが、放送ネットワークを使用して警告、ビネット、質問を伝達する方法を記述した例示的なプロセスを示す流れ図である。
【図８】
消費者がＣＲＡＶ  Ａｄに解答する方法を記述した例示的なプロセスを示す流れ図である。
【図９Ａ】
ＣＲＡＶ  Ａｄ応答を収集するための例示的な全国規模ネットワークを示す描写図である。
【図９Ｂ】
ＣＲＡＶ  Ａｄ応答を収集するための例示的な全国規模ネットワークを示す描写図である。
【図１０】
例示的な実施形態において、情報収集システムが登録及び応答情報をデータ格納センタに送信する方法を示す描写図である。
【図１１】
プロモータが勝者を選択し賞品を配送する方法を記述した例示的なプロセスを示す流れ図である。
【図１２】
ＣＲＡＶ  Ａｄプロセスの概観を記述する例示的なプロセスを示す流れ図である。
【図１３】
広告スロットの販売方法を記述した例示的なプロセスを示す流れ図である。
【図１４】
例示的な実施形態において、広告料が決定される方法を示す表である。
【図１５】
将来的なＣＲＡＶ  Ａｄを普及させるために、ＡＢＳ及びＡＣＭＥの例示的なＣＲＡＶ  Ａｄプロセスを示す描写流れ図である。
【図１６】
例示的な実施形態におけるＣＲＡＶ記録を示す表である。
【図１７】
例示的な実施形態において、ＡＢＳがＣＲＡＶ  Ａｄを放送する方法を示す流れ図である。
【図１８】
例示的な実施形態において、消費者が目にするＣＲＡＶ  Ａｄを示す。
【図１９】
例示的な実施形態において、ＣＲＡＶ  Ａｄが消費者により解答される方法を示す流れ図である。
【図２０】
例示的な実施形態において、ＣＲＡＶ  Ａｄがデーリー家により解答される流れ図である。
【図１】
2004531747.tif 000002
【図２】
2004531747.tif 000003
【図３】
2004531747.tif 000004
【図４】
2004531747.tif 000005
【図５】
2004531747.tif 000006
【図６】
2004531747.tif 000007
【図７】
2004531747.tif 000008
【図８】
2004531747.tif 000009
【図９Ａ】
2004531747.tif 000010
【図９Ｂ】
2004531747.tif 000011
【図１０】
2004531747.tif 000012
【図１１】
2004531747.tif 000013
【図１２】
2004531747.tif 000014
【図１３】
2004531747.tif 000015
【図１４】
2004531747.tif 000016
【図１５】
2004531747.tif 000017
【図１６】
2004531747.tif 000018
【図１７】
2004531747.tif 000019
【図１８】
2004531747.tif 000020
【図１９】
2004531747.tif 000021
【図２０】
2004531747.tif 000022
【国際公開パンフレット】
2004531747.tif 000023
2004531747.tif 000024
2004531747.tif 000025
2004531747.tif 000026
2004531747.tif 000027
2004531747.tif 000028
2004531747.tif 000029
2004531747.tif 000030
2004531747.tif 000031
2004531747.tif 000032
2004531747.tif 000033
2004531747.tif 000034
2004531747.tif 000035
2004531747.tif 000036
2004531747.tif 000037
2004531747.tif 000038
2004531747.tif 000039
2004531747.tif 000040
2004531747.tif 000041
2004531747.tif 000042
2004531747.tif 000043
2004531747.tif 000044
2004531747.tif 000045
2004531747.tif 000046
2004531747.tif 000047
2004531747.tif 000048
2004531747.tif 000049
2004531747.tif 000050
2004531747.tif 000051
2004531747.tif 000052
2004531747.tif 000053
2004531747.tif 000054
2004531747.tif 000055
2004531747.tif 000056
2004531747.tif 000057
2004531747.tif 000058
2004531747.tif 000059
2004531747.tif 000060
2004531747.tif 000061
2004531747.tif 000062
2004531747.tif 000063
2004531747.tif 000064
2004531747.tif 000065
2004531747.tif 000066
2004531747.tif 000067
2004531747.tif 000068
2004531747.tif 000069
2004531747.tif 000070
2004531747.tif 000071
2004531747.tif 000072
2004531747.tif 000073
2004531747.tif 000074
2004531747.tif 000075
2004531747.tif 000076
2004531747.tif 000077
2004531747.tif 000078
2004531747.tif 000079
2004531747.tif 000080
2004531747.tif 000081
2004531747.tif 000082
2004531747.tif 000083
2004531747.tif 000084
2004531747.tif 000085
2004531747.tif 000086
2004531747.tif 000087
2004531747.tif 000088
2004531747.tif 000089
2004531747.tif 000090
2004531747.tif 000091
2004531747.tif 000092
2004531747.tif 000093